(57)【要約】【課題】鍵盤楽器の鍵盤装置において、木質部を上部材と下部材で挟み込んだ鍵としながら堅牢にするとともに、ヒンジ部の構造を簡易化する。【解決手段】木質部１１を上部材１２と下部材１３とで挟み込んで接着する。上部材１２と下部材１３の延長部１２ａ，１３ａの間に、基端部材１４のボス部１４ａを嵌合し、ネジＮ１，Ｎ１でネジ止めする。ボス部１４ａの高さを木質部１１の厚みと同じ高さとする。基端部材１４の支持部１４ｃを鍵支持部２０ａにネジ止めする。基端部材１４を弾性を有する合成樹脂で形成し、のヒンジ部１４ｂの弾性力により鍵１０をフレーム２０に回動自在に支持する。下部材１３の前部側に鍵スイッチ３０ａ用のアクチュエータ１３ｂを形成する。【選択図】図１
2008076722.tif 000002
【特許請求の範囲】
【請求項１】
複数部材を組み合わせた鍵を有する鍵盤装置において、
前記鍵は、該鍵の芯をなす第１部材を第２部材と第３部材とで上下から挟み込んだ構造で、かつ、前記フレーム側に支持するための薄肉の弾性部材からなるヒンジ部を有し、
前記鍵の先端から前記ヒンジ部側の区間内に前記第２部材と第３部材とを締結する締結部が設けられ、
該締結部はボス部を有し、該ボス部において前記第２部材と第３部材の間を連結するように構成されていることを特徴とする鍵盤装置。
【請求項２】
前記ボス部は前記第２部材と第３部材との間に介在された第４部材により構成され、該第４部材において該ボス部と前記ヒンジ部とが一体に形成されていることを特徴とする請求項１に記載の鍵盤装置。
【請求項３】
前記ボス部が２分割されるとともに、該分割されたボス部が前記第２部材と前記第３部材とにそれぞれ一体に形成されていることを特徴とする請求項１に記載の鍵盤装置。
【請求項４】
前記ヒンジ部が前記第２部材または第３部材のいずれか一方と一体に形成されていることを特徴とする請求項１または３に記載の鍵盤装置。
【発明の詳細な説明】
【技術分野】
【０００１】
本発明は、鍵盤楽器の鍵盤装置に関わり、より詳細には、鍵の芯をなす木質部、上部材及び下部材等のように複数部材を組み合わせて鍵を構成した鍵盤装置に関する。
【背景技術】
【０００２】
従来、この種の鍵盤装置として、例えば特開２００５−１９５７９５号公報（特許文献１）に開示されたものがある。特許文献１のものは、鍵構造体が、合成樹脂で構成される上板体及び鍵ベース体と、木質系材製の木質部とから構成されている。そして、鍵ベース体は基端部と該基端部から前方に延設される延設部とが一体に形成され、この基端部の内部に回動支点が一体に形成されている。
【０００３】
木質部は、鍵ベース体の延設部の上面に接着固定され、木質部と基端部２１との間には、長手方向における間隙が生じている。なお、間隙は、主として、長手方向における木質部と鍵ベース体との寸法ばらつきを吸収したり、環境変化に起因する木質部の伸縮、変形による木質部と鍵ベース体との固定状態の悪化を防止するために設けられるものである。
【０００４】
また、上板体は木質部よりやや長く形成され、この上板体は、木質部の上面及び鍵ベース体の基端部の上面の双方に接着固定されている。そして、上板体の後部は、鍵ベース体の基端部に対して、ネジによっても固定されている。このような鍵盤装置によれば、木質部を用いているので、鍵構造体が上面や前面を除いて木材で構成されているかのように見え、鍵構造体に木質感が付与され、高級感が与えられる。また、基端部と木質部とが、間隙の上方において上板体の後部によって連結固定されるので、鍵構造体の、特に基端部と木質部との間近傍における上下方向の剛性を高めることができる。
【特許文献１】特開２００５−１９５７９５号公報
【発明の開示】
【発明が解決しようとする課題】
【０００５】
前記特許文献１のような従来の鍵盤装置では、鍵の回動支点が鍵ベース体の基端部の内部に設けられているので、この鍵構造体を鍵盤フレーム等に支持するために、回動支点を回動自在に支持する構造が別途必要となり、鍵盤フレーム等の構成が複雑になったり部品点数が増える等の問題があり、特に廉価な鍵盤楽器に用いるには改良の余地がある。
【０００６】
また、上記従来の鍵構造体では、薄手の部材である上板体の後部を鍵ベース体の基端部に接着ネジ止めして固定しているため、この薄手の上板他と基端部との固着部分があまり堅牢でなく、耐久性の点で改良の余地がある。
【０００７】
本発明は、木質部、上板部及び下板部等の第１〜第３部材からなる鍵の耐久性を向上させるとともに、簡単な構造となる鍵盤装置を提供することを課題とする。
【課題を解決するための手段】
【０００８】
請求項１の鍵盤装置は、鍵を第１部材を第２部材と第３部材とで挟み込んだ構造とするとともに、薄肉の弾性部材からなるヒンジ部によりフレームに支持し、鍵の先端からヒンジ部側の区間内に第２部材と第３部材とを締結する締結部を設け、該締結部をボス部で構成して、該ボス部において第２部材と第３部材の間を連結するようにした。薄肉のヒンジ部により簡単な構成となるとともに、ボス部により締結部が堅牢になる。ボス部が第１部材と略同厚みになっていると締結部がさらに堅牢になる。
【０００９】
請求項２の鍵盤装置は、請求項１において、締結部のボス部を第４部材で構成して第２部材と第３部材との間に介在させ、この第４部材においてボス部とヒンジ部とを一体に形成した。弾性部材は第４部材だけでよく、第２部材と第３部材は例えば硬質の部材でもよい。
【００１０】
請求項３の鍵盤装置は、請求項１において、２分割したボス部を第２部材と第３部材とにそれぞれ一体に形成した。これにより、第１部材に対して第２部材と第３部材を例えば接着するだけで、締結部のボス部が一体になる。
【００１１】
請求項４の鍵盤装置は、請求項１または３において、ヒンジ部を第２部材または第３部材のいずれか一方と一体に形成した。これにより、ヒンジ部が形成されない一方の部材は例えば硬質の部材でもよい。
【００１２】
好適な例として、第１部材の下側に密接される部材に鍵スイッチを駆動する駆動部（アクチュエータ）を形成してもよく、部品点数が少なくなる。
【００１３】
また、第２部材または第３部材において、弾性部材でなくてもよい硬質の部材に、ハンマー装置を駆動する駆動部をもうけてもよく、部品点数が少なくなる。
【００１４】
また、第１部材の上表面に密接される部材は第１部材の略前面に密接するのがよいが、第１部材の下表面に密接される部材は上表面の部材より少ない面積でもよい。これにより、材料を節約できる。
【発明の効果】
【００１５】
請求項１の鍵盤装置によれば、鍵の耐久性が向上するとともに薄肉のヒンジ部により部品点数も少なくなり、簡単な構造となる。
【００１６】
請求項２の鍵盤装置によれば、請求項１の効果に加えて、第２部材と第３部材の設計自由度が増す。
【００１７】
請求項３の鍵盤装置によれば、請求項１の効果に加えて、締結部の組み付けが容易になるとともに、部品点数も少なくなる。
【００１８】
請求項４の鍵盤装置によれば、請求項１または３の効果に加えて、ヒンジ部のない一方の部材の設計自由度が増す。
【発明を実施するための最良の形態】
【００１９】
以下、図面を参照して本発明の実施の形態について説明する。図１(A) は第１実施形態の鍵盤装置の要部側断面図、図１(B) は同鍵盤装置の鍵１０の平面図である。なお、図１において図面の左側が演奏者側、図面に直角な方向が鍵並び方向であり、以下の説明において、鍵盤装置の「上下左右」は演奏時の演奏者側から見た正立状態における「上下左右」の意味とする。また、「前後方向（あるいは手前と奥）」を指す場合、演奏者側を「前、手前」、背面側を「後、奥」とする。この実施形態は白鍵（Ｃ鍵）の例を示しているが他の白鍵及び黒鍵にも適用できることはいうまでもない。
【００２０】
この鍵盤装置は例えば電子鍵盤楽器のものであり、鍵１０とフレーム２０を備えている。鍵１０は、鍵１０の芯をなす木材からなる木質部１１（第１部材）と、木質部１１の上表面及び演奏者側前面に密接された合成樹脂製の上部材１２（第２部材）と、木質部１１の下表面後部に密接された合成樹脂製の下部材１３（第３部材）と、木質部１１の後方部に配置された合成樹脂製の基端部材１４（第４部材）とから構成されている。
【００２１】
上部材１２は鍵１０の演奏者側前面と上面を覆う形状であり、この上部材１２は木質部１１の上面に接着固定されている。下部材１３は木質部１１の略半分の長さであり、この下部材１３は木質部１１の下面後部に接着固定されている。上部材１２と下部材１３は、木質部１１から後方に延びる延長部１２ａ，１３ａを有し、この延長部１２ａ，１３ａは互いに対向している。
【００２２】
基端部材１４は、木質部１１の厚みと同じ高さのボス部１４ａと、このボス部１４ａの略中央から後方に延設された薄肉のヒンジ部１４ｂ（例えば水平な平板状）と、ヒンジ部１４ｂの端部に形成された支持部１４ｃとから構成されており、これらのボス部１４ａ、ヒンジ部１４ｂ及び支持部１４ｃは一体成形したものである。そして、基端部材１４のボス部１４ａは上部材１２の延長部１２ａと下部材１３の延長部１３ａとの間に嵌合されており、延長部１２ａ，１３ａはボス部１４ａに対してネジＮ１，Ｎ１によりネジ止めして固着されている。なお、ボス部１４ａとヒンジ部１４ｂの鍵並び方向の幅は、木質部１１の後端部の幅と同程度の幅となっている。また、木質部１１とボス部１４ａとの間には、鍵１０の長手方向における木質部１１の寸法ばらつきを吸収するため、の間隙が設けられている。
【００２３】
フレーム２０は例えば硬質の合成樹脂等により形成されており、後方の鍵支持部２０ａに基端部材１４の支持部１４ｃがネジＮ２によりネジ止めされている。そして、基端部材１４のヒンジ部１４ｂはその弾性により鍵１０を水平に保持する。これにより、鍵１０はフレーム２０に対して回動自在に支持されている。鍵フレーム２０上には回路基板３０が取付られ、この回路基板３０上に鍵スイッチ３０ａが配設されており、下部材１３の前部側には、鍵１０の押離鍵操作時に鍵スイッチ３０ａをオン／オフするためのアクチュエータ１３ｂが形成されている。
【００２４】
上部材１２は硬質の白色の合成樹脂で形成されており、鍵１０の上面は白色で光沢感のある表面となっている。なお、下部材１３も硬質の合成樹脂で形成されている。これに対して、基端部材１４はこの上部材１２及び下部材１３に比べて、比較的柔らかい弾性を有する合成樹脂で形成されている。このため、ヒンジ部１４ｂは弾性回復力を有しており、鍵１０への押鍵力をなくすと、鍵１０は図１(A) の状態に復帰する。なお、この鍵１０を復帰する力としては鍵スイッチ３０ａの弾性回復力もある程度寄与しているが、殆どはこのヒンジ部１４ｂの弾性回復力によるものである。したがって、鍵１０の離鍵時に復帰させるための例えば板バネ等を必要とせず、部品点数も少なくなる。例えば従来の鍵盤装置では板バネ等の何らかの部品が必要となる。
【００２５】
このように、薄肉のヒンジ部１４ｂという構成を採用しているので、部品点数も少なく、廉価な電子楽器にも適した鍵盤装置となっている。また、上部材１２と下部材１３は木質部１１に対して接着固定されているが、この上部材１２と下部材１３の延長部１２ａ，１３ａは、木質部１１の後方部においてボス部１４ａを介してネジＮ１，Ｎ１により締結されている。すなわち、この延長部１２ａ，１３ａ、ボス部１４ａ及びネジＮ１，Ｎ１は「締結部」を構成しており、この「締結部」は鍵１０の先端からヒンジ部１４ｂ側の区間Ｓ内に設けられている。したがって、例えば図２に二点鎖線で仮想的に示したように、上部材１２′あるいは下部材１３′と木質部１１の端部の接着部分において、剥離するような応力が生じても、上記締結部により、接着面に垂直な方向の力成分は抑制され、木質部１１、上部材１２及び下部材１３の組み付け構造が堅牢に保持される。
【００２６】
図３は第２実施形態の鍵盤装置の要部側断面図であり、鍵１０の平面形状は図１(B) と同様である。この実施形態の鍵１０は、鍵１０の芯をなす木材からなる木質部２１（第１部材）と、木質部２１の上表面及び演奏者側前面に密接された合成樹脂製の上部材２２（第２部材）と、木質部２１の下表面後部に密接された合成樹脂製の下部材２３（第３部材）とから構成されている。
【００２７】
前記実施例と同様に、上部材２２は木質部２１の上面に接着固定され、下部材２３は木質部２１の下面後部に接着固定されている。上部材２２と下部材２３は、木質部２１の後方にボス部２２ａ，２３ａを有し、このボス部２２ａ，２３ａは対向して当接している。すなわち、ボス部２２ａ，２３ａの合わせた高さは木質部２１の厚みと同じ高さとなっている。そして、ボス部２２ａ，２３ａは、下部材２３のボス部２３ａ側からネジＮ１によりネジ止めして固着されている。
【００２８】
また、上部材２２は、ボス部２２ａから後方に延設された薄肉のヒンジ部２２ｂ（例えば水平な平板状）と、ヒンジ部２２ｂの端部に形成された支持部２２ｃとを有している。この支持部２２ｃは鍵フレーム２０の鍵支持部２０ａに対してネジＮ２によりネジ止めされている。そして、上部材２２のヒンジ部２２ｂはその弾性により鍵１０を水平に保持する。これにより、鍵１０はフレーム２０に対して回動自在に支持されている。また、下部材２３の前部側には、鍵１０の押離鍵操作時に鍵スイッチ３０ａをオン／オフするためのアクチュエータ２３ｂが形成されている。
【００２９】
この実施形態ではボス部２２ａ，２３ａ及びネジＮ１が「締結部」を構成しており、この「締結部」も鍵１０の先端からヒンジ部２２ｂ側の区間Ｓ内に設けられている。なお、ボス部２２ａ，２３ａとヒンジ部２２ｂの鍵並び方向の幅は、木質部２１の後端部の幅と同程度の幅となっている。
【００３０】
下部材２３は硬質の樹脂で形成されているが、上部材２２は下部材２３に比べて、比較的柔らかい弾性を有する白色の樹脂で形成されている。このため、ヒンジ部２２ｂは弾性回復力を有しており、第１実施形態と同様に、鍵１０の離鍵時に復帰させるための例えば板バネ等を必要とせず、部品点数も少なくなる。
【００３１】
また、この第２実施形態では、上部材２２は支持部２２ｃまでを一体に形成したものであるため、鍵１０の先端から鍵支持部２０ａまでの距離は上部材２２の１部品のみで決まる。したがって、多数の鍵１０を組み付けたときに、鍵先端の揃い精度が向上する。
【００３２】
図４は第３実施形態の鍵盤装置の要部側断面図であり、鍵１０の平面形状は図１(B) と略同様である。この実施形態の鍵１０は、鍵１０の芯をなす木材からなる木質部３１（第１部材）と、木質部３１の上表面及び演奏者側前面に密接された合成樹脂製の上部材３２（第２部材）と、木質部３１の下表面後方に密接された合成樹脂製の下部材３３（第３部材）とから構成されている。
【００３３】
上部材３２は木質部３１の上面に接着固定され、下部材３３は木質部３１の下面後部に接着固定されている。上部材３２の後部側にはボス部３２ａが形成されるとともに、この上部材３２の略中央裏面にはハンマーアクチュエータ３２ｂが垂下されている。下部材３３の前部側にはボス部３３ａが形成されている。また、木質部３１には中央部と後部側に透孔３１ａ，３１ｂが形成されている。そして、上部材３２のハンマーアクチュエータ３２ｂは透孔３１ａを通して鍵１０の下方に突出されている。また、上部材３２のボス部３２ａと下部材３３のボス部３３ａは、木質部３１の透孔３１ｂ内で対向して当接しており、このボス部３２ａ，３３ａの合わせた高さは木質部３１の厚みと同じ高さとなっている。そして、ボス部３２ａ，３３ａは、下部材３３のボス部３３ａ側からネジＮ１によりネジ止めして固着されている。
【００３４】
また、下部材３３は、後方側に厚みのある補強部３３ｂと、補強部３３ｂから後方に延設された薄肉のヒンジ部３３ｃ（例えば水平な平板状）と、ヒンジ部３３ｃの端部に形成された支持部３３ｄとを有している。この支持部３３ｄは鍵フレーム２０の鍵支持部２０ａに対してネジＮ２によりネジ止めされている。そして、下部材３３のヒンジ部３３ｃはその弾性により鍵１０を水平に保持する。これにより、鍵１０はフレーム２０に対して回動自在に支持されている。また、下部材３３の前部側には、鍵１０の押離鍵操作時に鍵スイッチ３０ａをオン／オフするためのアクチュエータ３３ｅが形成されている。
【００３５】
この実施形態ではボス部３２ａ，３３ａ及びネジＮ１が「締結部」を構成しており、この「締結部」も鍵１０の先端からヒンジ部３３ｃ側の区間Ｓ内に設けられている。なお、ボス部３２ａ，３３ａの鍵並び方向の幅は透孔３１ｂにちょうど嵌合する幅であり、この幅は木質部３１の強度を考慮して木質部３１の鍵並び方向の幅にできるだけ近い幅に適宜設定されている。また、ヒンジ部３３ｃの鍵並び方向の幅は、木質部３１の後端部の幅と同程度の幅となっている。
【００３６】
また、鍵フレーム２０内には質量体（ハンマー）１５が回動自在に取り付けられており、この質量体１５は、前後方向に延びる棹１５ａと棹１５ａの後端部に取り付けられた錘１５ｂとで構成されている。そして、鍵１０の押鍵時にハンマーアクチュエータ３２ｂが棹１５ａを押下することにより、質量体１５は図において反時計回りに回動する。また、離鍵時には、錘１５ｂの自重により図において時計回りに回動し、下部材３３のヒンジ部３３ｃの弾性力と協同して、鍵１０が復帰する。このとき、錘１５ｂは棚板１６上に配設されたストッパ１７に当接する。
【００３７】
上部材３２は硬質の白色の合成樹脂で形成されており、鍵１０の上面は白色で光沢感のある表面となっている。また、硬質の合成樹脂であるのでハンマーアクチュエータ３２ｂのような部材を一体に設けるのに適している。これに対して、下部材３３は上部材３２に比べて、比較的柔らかい弾性を有する合成樹脂で形成されており、ヒンジ部３３ｃは弾性回復力を有している。このことは、第１実施形態における上部材１２と基端部材１４との関係と同様であるが、第１実施形態における上部材１２と基端部材１４、この第３実施形態における上部材３２と下部材３３は、それぞれ別部材で構成されているので、上部材１２，３２の設計自由度が向上する。すなわち、基端部材１４と下部材３３はそれぞれヒンジ部１４ｂ，３３ｃを有するので、繰り返し曲げに強い比較的柔らかい弾性材料である必要がある。しかし、上部材１２，３２はこの制限を受けることはなく、上記のように硬質で光沢感のあるものにもできる。
【００３８】
なお、第２実施形態において、ヒンジ部２２ｂが上部材２２においてボス部２２ａと一体に形成されているが、同様な機能を果たすヒンジ部は下部材２３においてボス部２３ａと一体に形成されていてもよい。この場合には、下部材２３を弾性材料で形成すればよい。
【００３９】
第３実施形態において、上部材３２を比較的柔らかい弾性を有する合成樹脂で形成するとともにこの上部材３２にヒンジ部を形成するようにしてもよい。この場合、下部材３３を硬質の合成樹脂として木質部３１の前部まで形成し、この下部材３３にハンマーアクチュエータを形成してもよい。
【００４０】
また、以上の実施形態では、ヒンジ部１４ｂ，２２ｂ，３３ｃは一例として水平な平板状の例について説明したが、このヒンジ部としては、例えば薄板を波型状にして撓みやすくした構成でもよく、ヒンジ機能を有していればよい。
【００４１】
以上の実施形態では、締結部の締結構造としてネジ止めする例について説明したが、この締結構造はこれに限るものではない。例えば、リベット止め、接着、テープ等で巻き付け、紐で縛る等の各種の構造を適用できる。
【図面の簡単な説明】
【００４２】
【図１】本発明の第１実施形態の鍵盤装置の要部側断面図及び鍵の平面図である。
【図２】本発明の実施形態における締結部の作用の一例を説明する図である。
【図３】本発明の第２実施形態の鍵盤装置の要部側断面図である。
【図４】本発明の第３実施形態の鍵盤装置の要部側断面図である。
【符号の説明】
【００４３】
１０…鍵、２０…フレーム、１１…木質部（第１部材）、１２…上部材（第２部材）、１２ａ…延長部（締結部）、１３…下部材（第３部材）、１３ａ…延長部（締結部）、１４…基端部材（第４部材）、１４ａ…ボス部（締結部）、１４ｂ…ヒンジ部、Ｎ１…ネジ（締結部）、２１…木質部（第１部材）、２２…上部材（第２部材）、２２ａ…ボス部（締結部）、２２ｂ…ヒンジ部、２３…下部材（第３部材）、２３ａ…ボス部（締結部）、３１…木質部（第１部材）、３２…上部材（第２部材）、３２ａ…ボス部（締結部）、３３…下部材（第３部材）、３３ａ…ボス部（締結部）、３３ｃ…ヒンジ部
【図１】
2008076722.tif 000003
【図２】
2008076722.tif 000004
【図３】
2008076722.tif 000005
【図４】
2008076722.tif 000006